(57)【要約】【課題】微小な２段階のサイズのサムネール用画像データを生成し表示することであり、ユーザーの都合に合わせた素早い画像検索方法を提供することを目的とする。【解決手段】入力された原画像から多値の縮小画像及び２値の縮小画像を生成し、生成された多値の縮小画像と２値の縮小画像を記憶する記憶手段を備え、記憶された原画像と多値の縮小画像と２値の縮小画像のリンク情報を記憶するインデックス情報記憶部と、表示手段と、選択手段とを備えた画像処理装置において、表示手段に、原画像または多値の縮小画像または２値の縮小画像の１つが表示されている状態で、選択手段により画像を選択すると、インデックス情報記憶部を参照して、対応する他の画像を表示する制御手段を備える。【選択図】　　　　図１
2004072484.tif 000002
【特許請求の範囲】
【請求項１】
入力された原画像を記憶する原画像記憶手段と、上記原画像から多値の縮小画像及び２値の縮小画像を生成する画像処理手段と、前記画像処理手段により生成された前記多値の縮小画像を記憶する多値画像記憶手段と、前記画像処理手段により生成された前記２値の縮小画像を記憶する２値画像記憶手段と、前記原画像記憶手段に記憶された原画像と前記多値画像記憶手段に記憶された多値の縮小画像と前記２値画像記憶手段に記憶された２値の縮小画像のリンク情報を記憶するインデックス情報記憶部と、表示手段と、選択手段とを備えた画像処理装置において、前記表示手段に、前記原画像または多値の縮小画像または２値の縮小画像の１つが表示されている状態で、前記選択手段により画像を選択すると、前記インデックス情報記憶部を参照して、対応する他の画像を表示する制御手段を備えたことを特徴とする画像処理装置。
【請求項２】
前記画像処理装置において、前記多値の縮小画像を表示するか、前記２値の縮小画像を表示するかを設定する設定手段を備え、前記制御手段は、前記設定手段による設定に従って、多値の縮小画像又は２値の縮小画像のいずれかを前記表示手段に表示することを特徴とする請求項１に記載の画像処理装置。
【請求項３】
前記設定手段は、前記画像処理装置の状態に応じて前記設定を自動的に切り替えることを特徴とする請求項２記載の画像処理装置。
【請求項４】
前記画像処理装置の状態は、前記画像処理の処理能力、メモリの使用量、一度に表示する画像の数の内の少なくとも一つであることを特徴とする請求項３に記載の画像処理装置。
【請求項５】
前記表示手段に前記２値の縮小画像が表示された状態において、前記選択手段による前記表示された２値の縮小画像の選択方法を判別する選択判別手段を備え、前記選択手段により前記表示された２値の縮小画像が選択された際、前記選択判別手段により選択方法を判別し、前記制御手段は、その判別結果に従って、前記２値の縮小画像を表示し続けるか、前記インデックス情報記憶部に記憶されたリンク情報に基づいて対応する多値の縮小画像を表示するか、前記インデックス情報記憶部に記憶されたリンク情報に基づいて対応する原画像を表示するかを制御することを特徴とする請求項１に記載の画像処理装置。
【請求項６】
前記選択判別手段が判別する前記選択手段による選択方法は、前記選択手段のシングルクリック、ダブルクリック、位置付けのいずれか一つであることを特徴とする請求項５に記載の画像処理装置。
【請求項７】
前記選択判別手段による判別結果が、シングルクリックである場合は前記インデックス情報記憶部に記憶されたリンク情報に基づいて対応する多値の縮小画像を表示し、ダブルクリックである場合は前記インデックス情報記憶部に記憶されたリンク情報に基づいて対応する原画像を表示し、位置付けの場合は前記２値の縮小画像を表示し続けることを特徴とする請求項６に記載の画像処理装置。
【請求項８】
前記多値の縮小画像が表示されている状態で、前記選択判別手段により前記選択手段による選択がシングルクリックであることを判別すると、前記インデックス情報記憶部に記憶されたリンク情報に基づいて対応する２値の縮小画像を表示することを特徴とする請求項７に記載の画像処理装置。
【請求項９】
前記表示手段は、複数の前記多値の縮小画像及び複数の前記２値の縮小画像を同時に表示することを特徴とする請求項１に記載の画像処理装置。
【請求項１０】
前記選択手段は、前記表示手段に同時に表示された複数の前記多値の縮小画像及び複数の前記２値の縮小画像を同時に選択することを特徴とする請求項９に記載の画像処理装置。
【請求項１１】
入力された原画像を記憶する原画像記憶ステップと、上記原画像から多値の縮小画像及び２値の縮小画像を生成する画像処理ステップと、前記画像処理ステップにより生成された前記多値の縮小画像を記憶する多値画像記憶ステップと、前記画像処理ステップにより生成された前記２値の縮小画像を記憶する２値画像記憶ステップと、前記原画像記憶ステップに記憶された原画像と前記多値画像記憶ステップに記憶された多値の縮小画像と前記２値画像記憶ステップに記憶された２値の縮小画像のリンク情報を記憶するインデックス情報記憶部と、表示ステップと、選択ステップとを備えた画像処理方法において、前記表示ステップに、前記原画像または多値の縮小画像または２値の縮小画像の１つが表示されている状態で、前記選択ステップにより画像を選択すると、前記インデックス情報記憶部を参照して、対応する他の画像を表示する制御ステップを備えたことを特徴とする画像処理方法。
【請求項１２】
前記画像処理方法において、前記多値の縮小画像を表示するか、前記２値の縮小画像を表示するかを設定する設定ステップを備え、前記制御ステップは、前記設定ステップによる設定に従って、多値の縮小画像又は２値の縮小画像のいずれかを前記表示ステップに表示することを特徴とする請求項１１に記載の画像処理方法。
【請求項１３】
前記表示ステップに前記２値の縮小画像が表示された状態において、前記選択ステップによる前記表示された２値の縮小画像の選択方法を判別する選択判別ステップを備え、前記選択ステップにより前記表示された２値の縮小画像が選択された際、前記選択判別ステップにより選択方法を判別し、前記制御ステップは、その判別結果に従って、前記２値の縮小画像を表示し続けるか、前記インデックス情報記憶部に記憶されたリンク情報に基づいて対応する多値の縮小画像を表示するか、前記インデックス情報記憶部に記憶されたリンク情報に基づいて対応する原画像を表示するかを制御することを特徴とする請求項１１に記載の画像処理方法。
【請求項１４】
前記選択判別ステップが判別する前記選択ステップによる選択方法は、前記選択ステップのシングルクリック、ダブルクリック、位置付けのいずれか一つであることを特徴とする請求項１３に記載の画像処理方法。
【請求項１５】
前記選択判別ステップによる判別結果が、シングルクリックである場合は前記インデックス情報記憶部に記憶されたリンク情報に基づいて対応する多値の縮小画像を表示し、ダブルクリックである場合は前記インデックス情報記憶部に記憶されたリンク情報に基づいて対応する原画像を表示し、位置付けの場合は前記２値の縮小画像を表示し続けることを特徴とする請求項１４に記載の画像処理方法。
【請求項１６】
前記多値の縮小画像が表示されている状態で、前記選択判別ステップにより前記選択ステップによる選択がシングルクリックであることを判別すると、前記インデックス情報記憶部に記憶されたリンク情報に基づいて対応する２値の縮小画像を表示することを特徴とする請求項１５に記載の画像処理方法。
【請求項１７】
前記表示ステップは、複数の前記多値の縮小画像及び複数の前記２値の縮小画像を同時に表示することを特徴とする請求項１１に記載の画像処理方法。
【請求項１８】
前記選択ステップは、前記表示ステップに同時に表示された複数の前記多値の縮小画像及び複数の前記２値の縮小画像を同時に選択することを特徴とする請求項１７に記載の画像処理方法。
【発明の詳細な説明】
【０００１】
【発明の属する技術分野】
本発明は、画像データの処理方法及び処理装置に関するものである。
【０００２】
【従来の技術】
従来のサムネール画像処理装置や方法では、原画像に対して１種類のサムネール用低解像画像を生成して表示していた。
【０００３】
しかしながら従来は、サムネールといった小さな表示枠の中で出来るだけ高精細な画像を表示していたため、特に携帯端末のようにＣＰＵ能力とメモリエリアに制約を持つ機器で、大量の画像を表示する場合に展開する時間がかかりユーザーにストレスを感じさせていた。
【０００４】
【発明が解決しようとする課題】
本発明は、上記の不都合を解決するために、微小な２段階のサイズのサムネール用画像データを生成し表示することであり、ユーザーの都合に合わせた素早い画像検索方法を提供することを目的とする。
【０００５】
【課題を解決するための手段】
本発明の請求項１で記載している画像処理装置は、入力された原画像を記憶する原画像記憶手段と、上記原画像から多値の縮小画像及び２値の縮小画像を生成する画像処理手段と、前記画像処理手段により生成された前記多値の縮小画像を記憶する多値画像記憶手段と、前記画像処理手段により生成された前記２値の縮小画像を記憶する２値画像記憶手段と、前記原画像記憶手段に記憶された原画像と前記多値画像記憶手段に記憶された多値の縮小画像と前記２値画像記憶手段に記憶された２値の縮小画像のリンク情報を記憶するインデックス情報記憶部と、表示手段と、選択手段とを備えた画像処理装置において、前記表示手段に、前記原画像または多値の縮小画像または２値の縮小画像の１つが表示されている状態で、前記選択手段により画像を選択すると、前記インデックス情報記憶部を参照して、対応する他の画像を表示する制御手段を有することを特徴とする。
【０００６】
本発明の請求項１１で記載している画像処理方法は、入力された原画像を記憶する原画像記憶ステップと、上記原画像から多値の縮小画像及び２値の縮小画像を生成する画像処理ステップと、前記画像処理ステップにより生成された前記多値の縮小画像を記憶する多値画像記憶ステップと、前記画像処理ステップにより生成された前記２値の縮小画像を記憶する２値画像記憶ステップと、前記原画像記憶ステップに記憶された原画像と前記多値画像記憶ステップに記憶された多値の縮小画像と前記２値画像記憶ステップに記憶された２値の縮小画像のリンク情報を記憶するインデックス情報記憶部と、表示ステップと、選択ステップとを備えた画像処理方法において、前記表示ステップに、前記原画像または多値の縮小画像または２値の縮小画像の１つが表示されている状態で、前記選択ステップにより画像を選択すると、前記インデックス情報記憶部を参照して、対応する他の画像を表示する制御ステップを有することを特徴とする。
【０００７】
（作用）
本発明によれば、初期設定で２値のサムネール画像を表示することで、大量の画像を瞬時に表示する。
【０００８】
また本発明によれば、原画像に対して２値と多値の２種のサムネール画像を生成・記憶することで、諧調方向に段階的な表示をする。
【０００９】
以上、本発明を整理して要約すれば以下の構成に集約できる。
【００１０】
（１）入力された原画像を記憶する原画像記憶手段と、上記原画像から多値の縮小画像及び２値の縮小画像を生成する画像処理手段と、前記画像処理手段により生成された前記多値の縮小画像を記憶する多値画像記憶手段と、前記画像処理手段により生成された前記２値の縮小画像を記憶する２値画像記憶手段と、前記原画像記憶手段に記憶された原画像と前記多値画像記憶手段に記憶された多値の縮小画像と前記２値画像記憶手段に記憶された２値の縮小画像のリンク情報を記憶するインデックス情報記憶部と、表示手段と、選択手段とを備えた画像処理装置において、前記表示手段に、前記原画像または多値の縮小画像または２値の縮小画像の１つが表示されている状態で、前記選択手段により画像を選択すると、前記インデックス情報記憶部を参照して、対応する他の画像を表示する制御手段を備えたことを特徴とする画像処理装置。
【００１１】
（２）前記画像処理装置において、前記多値の縮小画像を表示するか、前記２値の縮小画像を表示するかを設定する設定手段を備え、前記制御手段は、前記設定手段による設定に従って、多値の縮小画像又は２値の縮小画像のいずれかを前記表示手段に表示することを特徴とする前記（１）に記載の画像処理装置。
【００１２】
（３）前記設定手段は、前記画像処理装置の状態に応じて前記設定を自動的に切り替えることを特徴とする前記（２）記載の画像処理装置。
【００１３】
（４）前記画像処理装置の状態は、前記画像処理の処理能力、メモリの使用量、一度に表示する画像の数の内の少なくとも一つであることを特徴とする前記（３）に記載の画像処理装置。
【００１４】
（５）前記表示手段に前記２値の縮小画像が表示された状態において、前記選択手段による前記表示された２値の縮小画像の選択方法を判別する選択判別手段を備え、前記選択手段により前記表示された２値の縮小画像が選択された際、前記選択判別手段により選択方法を判別し、前記制御手段は、その判別結果に従って、前記２値の縮小画像を表示し続けるか、前記インデックス情報記憶部に記憶されたリンク情報に基づいて対応する多値の縮小画像を表示するか、前記インデックス情報記憶部に記憶されたリンク情報に基づいて対応する原画像を表示するかを制御することを特徴とする前記（１）に記載の画像処理装置。
【００１５】
（６）前記選択判別手段が判別する前記選択手段による選択方法は、前記選択手段のシングルクリック、ダブルクリック、位置付けのいずれか一つであることを特徴とする前記（５）に記載の画像処理装置。
【００１６】
（７）前記選択判別手段による判別結果が、シングルクリックである場合は前記インデックス情報記憶部に記憶されたリンク情報に基づいて対応する多値の縮小画像を表示し、ダブルクリックである場合は前記インデックス情報記憶部に記憶されたリンク情報に基づいて対応する原画像を表示し、位置付けの場合は前記２値の縮小画像を表示し続けることを特徴とする前記（６）に記載の画像処理装置。
【００１７】
（８）前記多値の縮小画像が表示されている状態で、前記選択判別手段により前記選択手段による選択がシングルクリックであることを判別すると、前記インデックス情報記憶部に記憶されたリンク情報に基づいて対応する２値の縮小画像を表示することを特徴とする前記（７）に記載の画像処理装置。
【００１８】
（９）前記表示手段は、複数の前記多値の縮小画像及び複数の前記２値の縮小画像を同時に表示することを特徴とする前記（１）に記載の画像処理装置。
【００１９】
（１０）前記選択手段は、前記表示手段に同時に表示された複数の前記多値の縮小画像及び複数の前記２値の縮小画像を同時に選択することを特徴とする前記（９）に記載の画像処理装置。
【００２０】
（１１）入力された原画像を記憶する原画像記憶ステップと、上記原画像から多値の縮小画像及び２値の縮小画像を生成する画像処理ステップと、前記画像処理ステップにより生成された前記多値の縮小画像を記憶する多値画像記憶ステップと、前記画像処理ステップにより生成された前記２値の縮小画像を記憶する２値画像記憶ステップと、前記原画像記憶ステップに記憶された原画像と前記多値画像記憶ステップに記憶された多値の縮小画像と前記２値画像記憶ステップに記憶された２値の縮小画像のリンク情報を記憶するインデックス情報記憶部と、表示ステップと、選択ステップとを備えた画像処理方法において、前記表示ステップに、前記原画像または多値の縮小画像または２値の縮小画像の１つが表示されている状態で、前記選択ステップにより画像を選択すると、前記インデックス情報記憶部を参照して、対応する他の画像を表示する制御ステップを備えたことを特徴とする画像処理方法。
【００２１】
（１２）前記画像処理方法において、前記多値の縮小画像を表示するか、前記２値の縮小画像を表示するかを設定する設定ステップを備え、前記制御ステップは、前記設定ステップによる設定に従って、多値の縮小画像又は２値の縮小画像のいずれかを前記表示ステップに表示することを特徴とする前記（１１）に記載の画像処理方法。
【００２２】
（１３）前記表示ステップに前記２値の縮小画像が表示された状態において、前記選択ステップによる前記表示された２値の縮小画像の選択方法を判別する選択判別ステップを備え、前記選択ステップにより前記表示された２値の縮小画像が選択された際、前記選択判別ステップにより選択方法を判別し、前記制御ステップは、その判別結果に従って、前記２値の縮小画像を表示し続けるか、前記インデックス情報記憶部に記憶されたリンク情報に基づいて対応する多値の縮小画像を表示するか、前記インデックス情報記憶部に記憶されたリンク情報に基づいて対応する原画像を表示するかを制御することを特徴とする前記（１１）に記載の画像処理方法。
【００２３】
（１４）前記選択判別ステップが判別する前記選択ステップによる選択方法は、前記選択ステップのシングルクリック、ダブルクリック、位置付けのいずれか一つであることを特徴とする前記（１３）に記載の画像処理方法。
【００２４】
（１５）前記選択判別ステップによる判別結果が、シングルクリックである場合は前記インデックス情報記憶部に記憶されたリンク情報に基づいて対応する多値の縮小画像を表示し、ダブルクリックである場合は前記インデックス情報記憶部に記憶されたリンク情報に基づいて対応する原画像を表示し、位置付けの場合は前記２値の縮小画像を表示し続けることを特徴とする前記（１４）に記載の画像処理方法。
【００２５】
（１６）前記多値の縮小画像が表示されている状態で、前記選択判別ステップにより前記選択ステップによる選択がシングルクリックであることを判別すると、前記インデックス情報記憶部に記憶されたリンク情報に基づいて対応する２値の縮小画像を表示することを特徴とする前記（１５）に記載の画像処理方法。
【００２６】
（１７）前記表示ステップは、複数の前記多値の縮小画像及び複数の前記２値の縮小画像を同時に表示することを特徴とする前記（１１）に記載の画像処理方法。
【００２７】
（１８）前記選択ステップは、前記表示ステップに同時に表示された複数の前記多値の縮小画像及び複数の前記２値の縮小画像を同時に選択することを特徴とする前記（１７）に記載の画像処理方法。
【００２８】
【発明の実施の形態】
以下に、図を用いて本発明の実施の形態を説明する。まず、図１に本発明の構成を示す。図１に示すように、上記装置は、特定の画像を選択するための指示手段１と画像の指定や処理の設定を変更する制御部２と画像処理を施す画像処理部３と画像データを記憶する画像記憶部４と画像を表示する表示手段９からなる。また、画像記憶部４は元の画像データを記憶する原画像記億部５とサムネール用多値画像を記憶する多値画像記憶部６とサムネール用２値画像を記憶する２値画像記憶部７と各画像データのリンク情報を記憶するインデックス情報記憶部８を備える。以下、構成内のおおまかな役割を示す。
【００２９】
ユーザーは、指示手段１を用いて例えば表示手段９に表示された所望の画像を選択する。指示手段１はパソコンの場合マウスとキーボードなどが考えられ、携帯端末機器などの場合にはスタイラスペンなどが考えられる。上記指示手段１によって特定の画像が選択されると、制御部２によって設定に基づいて、２値画像記憶部７と多値画像記憶部６と原画像記憶部５のいずれかから画像データが呼び出され、表示手段９で表示される。新規に撮影された画像や外部から入力された画像データは、画像処理部３で必要に応じて処理が施された後、画像記憶部４内の各部に記憶される。画像記憶部４内では、元の画像データは原画像記億部５に記憶され、サムネール用多値画像は多値画像記憶部６に記憶され、サムネール用２値画像は２値画像記憶部７に記憶され、各画像データのリンク情報はインデックス情報記憶部８に記憶される。又、一度画像記憶部４に記憶された画像データも、あらたに画像処理部３で処理が施されると、あらたに画像記憶部４内の各部にその画像データとリンク情報が記憶される。
【００３０】
まず、図２を用いて新規の画像を保存する場合の動作を説明する。装置に接続された撮像部（不図示）により撮影がされたり、外部から画像データが入力されると（Ｓ２０２）原画像を原画像記億部５に記憶し（Ｓ２０３）、上記原画像からサムネール表示用の多値の縮小画像データを生成し、多値画像記憶部６に記憶する（Ｓ２０４）。この場合、多値の縮小画像データとは高圧縮率のｊｐｅｇ形式などを用いた最小サイズのカラーデータを指す。さらに上記原画像からサムネール表示用の２値の縮小画像データを生成し、２値画像記憶部７に記憶する（Ｓ２０５）。この場合の２値の縮小データとは、ｇｉｆ形式などを用いたモノクロ２値の最小サイズのデータを指す。そして、Ｓ２０３で記憶した原画像とＳ２０４の多値の縮小画像データとＳ２０５の２値の縮小画像データを関連付けるリンク情報をインデックス情報記憶部８に記憶する。
【００３１】
図３は、画像記憶部４に保存された単一のもしくは複数の画像に対してサムネール表示が選択されたときの動作を示す。サムネール表示が選択されると（Ｓ３０２）、設定が２値画像の表示になっているかどうかを確認する（Ｓ３０３）。初期設定が２値画像であれば２値画像記憶部７より２値画像のサムネールを読み出して表示手段９に表示を行い（Ｓ３０４）、そうでなければ多値画像記憶部６より多値画像のサムネールを読み出して表示手段９に表示を行う（３０５）。
【００３２】
図４は、マウスやペンなどのポインティングデバイス（以下ＰＤ）によって、選択したい箇所に置くだけ、シングルクリック、ダブルクリックというように３つの選択方法がある場合のサムネール表示方法であり、初期設定により２値画像のサムネール表示が行われている状態での動作を示している。ＰＤが表示手段９に表示された特定の枠内の画像上に置かれると（Ｓ４０２）インデックス情報記憶部８に記憶されたリンク情報を基に多値画像記憶部６より対応する多値画像のサムネールを読み出して、同枠内を同じ原画像にリンクされた多値画像で書き換える（Ｓ４０３）。ただし、それは一時的な書き換えで、ＰＤが上記枠から外れたかどうか確認し（Ｓ４０４）、外れると同枠内をＳ４０１時点の同枠内の２値画像に書き換える。もしＰＤが置かれたままであればシングルクリックのような２つ目の選択方法（以下ＳＣ）が使われたかどうかを確認し（Ｓ４０５）、ＳＣが使われていれば、上記同様にインデックス情報記憶部８に記憶されたリンク情報を基に多値画像記憶部６より対応する多値画像のサムネールを読み出して、同枠内を同じ原画像にリンクされた多値画像で書き換え（Ｓ４０７）、使われていなければダブルクリックのような３つ目の選択手段（以下ＤＣ）が使われたかどうかを確認し（Ｓ４０６）、ＤＣが使われていれば、インデックス情報記憶部８に記憶されたリンク情報を基に原画像記憶部５より対応する原画像を読み出して、表示する（Ｓ４０８）。Ｓ４０７で多値画像が表示されると、同枠内でＳＣされるかを確認し（Ｓ４０９）、ＳＣされれば、インデックス情報記憶部８に記憶されたリンク情報を基に２値画像記憶部７より対応する２値画像のサムネールを読み出して、同枠内をＳ４０１時点の同枠内の２値画像に書き換える。Ｓ４０９で同枠内をＤＣされると（Ｓ４１０）、インデックス情報記憶部８に記憶されたリンク情報を基に原画像記憶部５より対応する原画像を読み出して、表示し（Ｓ４１１）、ＤＣされなければ多値画像を表示し続ける。
【００３３】
図５は、ＰＤによる画像の選択方法が、ＳＣ及びＤＣの２つの場合のサムネール表示方法であり、２値画像のサムネール表示が行われている状態での動作を示している。まずＰＤが特定の枠内の画像上でＳＣされたかどうかを確認し（Ｓ５０２）、ＳＣされていれば、インデックス情報記憶部８に記憶されたリンク情報を基に多値画像記憶部６より対応する多値画像のサムネールを読み出して、同枠内を同じ原画像のリンクされた多値画像で書き換え（Ｓ５０４）、ＳＣが使われていなければ特定の枠内の画像上でＤＣされたかどうかを確認し（Ｓ５０３）、ＤＣされていれば、インデックス情報記憶部８に記憶されたリンク情報を基に原画像記憶部５より対応する原画像を読み出して、同枠内の２値画像がリンクされた原画像を表示する（Ｓ５０５）。Ｓ５０４で多値画像が表示されると、同枠内でＳＣされるかを確認し（Ｓ５０６）、ＳＣされれば、インデックス情報記憶部８に記憶されたリンク情報を基に２値画像記憶部７より対応する２値画像のサムネールを読み出して、同枠内をＳ５０１時点の同枠内の２値画像に書き換える。Ｓ５０６で同枠内でＤＣされると（Ｓ５０７）原画像を表示し（Ｓ５０８）、ＤＣされなければ多値画像を表示し続ける。
【００３４】
サムネール表示の初期画像が多値画像である場合（Ｓ３０５）には、ＰＤによるＳＣとＤＣの２つの画像選択手段を用いる。
【００３５】
図６を用いて動作を説明する。ＰＤが特定の枠内でＤＣされたかどうかを確認し（Ｓ６０２）、ＤＣされていれば、インデックス情報記憶部８に記憶されたリンク情報を基に原画像記憶部５より対応する原画像を読み出して表示する（Ｓ６０３）。なお、ＳＣは、所望の画像の選択に使用される（不図示）。
【００３６】
図７では、同時に複数の枠内で多値画像が表示される状態を示している。上記Ｓ４０７、Ｓ５０４、でＳＣによって特定の枠内で多値画像が表示された場合、ＰＤによって別の枠内の２値画像がＳＣされると、インデックス情報記憶部８に記憶されたリンク情報を基に新たにＳＣされた枠内を同じ原画像にリンクされた多値画像で書き換える。すなわち、同時に複数の枠内で多値画像が表示されることになる。図７は、６枚のサムネール画像のうち、１枠目と４枠目が多値画像表示されている状態である。
【００３７】
この時に指示手段に備わるなんらかの手段によって複数の画像が同時に選択された状態でＤＣされると同時に複数の原画像を表示するという応用も可能である（不図示）。サムネール表示の初期画像が多値画像である場合（Ｓ３０５）にも同様である。
【００３８】
次に、図８を用いて表示機器のパフォーマンスに応じて自動的に２値のサムネール表示設定を多値画像によるサムネール表示に切替える動作の説明をする。サムネール表示が指示されると（Ｓ８０２）サムネール画像の初期画像が２値画像に設定されているかを確認する（Ｓ８０３）。２値画像表示の設定であった時に、サムネール表示の初期画像を多値画像に切替えてもユーザーの操作にストレスを感じさせないかどうかという観点で機器のパフォーマンス状況に余裕があるかどうかの確認をする（Ｓ８０４）。この時、パフォーマンスに余裕があると判断されればサムネール画像の初期画像を多値画像に切替える（Ｓ８０７）。ここでいうパフォーマンス状況を判断する要素としては、ＣＰＵ能力、メモリのワークエリア、選択された画像の多さ、などが考えられる。
【００３９】
逆のケースとして、サムネール画像の初期画像を多値画像としている時にも、機器のパフォーマンスが著しく落ちた時にはサムネール画像の初期画像を２値画像に切替えるという応用も考えられる。
【００４０】
【発明の効果】
本発明によれば、初期設定で２値のサムネール画像を表示することで、大量の画像を瞬時に表示可能になり、ユーザーの感じるストレスを軽減出来る。
【００４１】
また本発明によれば、原画像に対して２値と多値の２種のサムネール画像を生成・記憶することで、諧調方向に段階的な表示をする手段を実現し、ユーザーのニーズに応じた迅速な画像検索が可能になる。
【図面の簡単な説明】
【図１】本発明の実施の形態の構成を示すブロック図
【図２】新規の画像を保存する場合の動作を示すフローチャート
【図３】サムネール表示が選択された場合の動作を示すフローチャート
【図４】３つの選択方法がある場合の動作を示すフローチャート
【図５】２つの選択方法がある場合の動作を示すフローチャート
【図６】初期画像が多値である場合の動作を示すフローチャート
【図７】２値のサムネール表示画面で複数の多値画像を表示している態様を示す概念図
【図８】自動的に初期画像の設定を変更する場合の動作を示すフローチャート
【符号の説明】
１　指示手段
２　制御部
３　画像処理部
４　画像記憶部
５　原画像記憶部
６　多値画像記憶部
７　２値画像記憶部
８　インデックス情報記憶部
９　表示手段
１０　１枠目
１１　２枠目
１２　３枠目
１３　４枠目
１４　５枠目
１５　６枠目
【図１】
2004072484.tif 000003
【図２】
2004072484.tif 000004
【図３】
2004072484.tif 000005
【図４】
2004072484.tif 000006
【図５】
2004072484.tif 000007
【図６】
2004072484.tif 000008
【図７】
2004072484.tif 000009
【図８】
2004072484.tif 000010